(57)【要約】【課題】ワイヤ挿通パイプ中に挿貫したワイヤを一方向には流通させるがその逆方向には固定して逆流通できないように構成したワイヤ固定機構に関する。【解決手段】内壁をテーパー形状とする外円筒体と、外円筒体内部で摺動可能とした内円筒体と、内円筒体の中心部を挿通するワイヤと、内円筒体の周壁に穿孔した複数のボール遊嵌孔と、ボール遊嵌孔に遊嵌自在で、内円筒体のボール遊嵌孔と外円筒体のテーパー部が対応する位置関係になった際に内円筒体の中心部を挿通するワイヤ表面を圧接するストッパ―ボールとよりなるワイヤ挿通パイプにおけるワイヤの一方向流通を固定するワイヤ固定機構を構成した。【選択図】図１
2020125803.tif 000002
【特許請求の範囲】
【請求項１】
内壁をテーパー形状とする外円筒体と、外円筒体内部で摺動可能とした内円筒体と、内円筒体の中心部を挿通するワイヤと、内円筒体の周壁に穿孔した複数のボール遊嵌孔と、ボール遊嵌孔に遊嵌自在で、内円筒体のボール遊嵌孔と外円筒体のテーパー部が対応する位置関係になった際に内円筒体の中心部を挿通するワイヤ表面を圧接するストッパ―ボールとよりなるワイヤ挿通パイプにおけるワイヤの一方向流通を固定するワイヤ固定機構。
【請求項２】
スプリングにより内円筒体を外円筒体のテーパー形状の内壁方向に移動付勢したことを特徴とする請求項１に記載のワイヤ挿通パイプにおけるワイヤの一方向流通を固定するワイヤ固定機構。
【請求項３】
ボール遊嵌孔の内周面は内側から外側に向かって狭窄状のテーパーとしたことを特徴とする請求項１、２に記載のワイヤ挿通パイプにおけるワイヤの一方向流通を固定するワイヤ固定機構。
【請求項４】
ストッパ―ボールは表面に摩擦係数の高い表面処理をしたことを特徴とする請求項１、２、３のいずれか１項に記載のワイヤ挿通パイプにおけるワイヤの一方向流通を固定するワイヤ固定機構。
【発明の詳細な説明】
【技術分野】
【０００１】
この発明は、ワイヤ挿通パイプ中に挿貫したワイヤを一方向には流通させるがその逆方向には固定して逆流通できないように構成したワイヤ固定機構に関する。
【０００２】
従来、例えば、害獣の捕獲をする際に使用するトラップ機構は害獣の脚体が踏板を踏むと踏板の降下作動によってトラップワイヤが縮径して踏板を踏んだ害獣の脚体を捕縛するという原理が使用されている。
【０００３】
かかるトラップ機構においてはトラップワイヤが縮径して踏板を踏んだ害獣の脚体を捕縛するワイヤはワイヤ挿通パイプ中を挿貫しており、ワイヤ挿通パイプ中にはワイヤが一定方向には自由に挿貫できるがその逆方向では固定されて流通しないワイヤ固定機構が必要になる。
なぜならば、ワイヤが害獣の脚体を捕縛した時にはその捕縛状態を維持するための固定機構がワイヤ挿通パイプ中で必要になる。
【０００４】
かかる固定機構はワイヤをループ部方向に引張って自由端から引出し可能であるがその反対方向、すなわち、ワイヤ自由端方向には移動しない逆通不可、いわゆる、逆止弁的な機能である（例えば、特許文献１）。
【先行技術文献】
【特許文献】
【０００５】
【特許文献１】特開２０００−２９７８４９号公報
【発明の概要】
【発明が解決しようとする課題】
【０００６】
かかる逆止弁機能に類似する機構を用いるとしても流通する対象がワイヤという細紐固体形状であるために液体の逆止弁機能とは異なる複雑な逆止機能を有する構造を使用しなければならない。しかも、形状のハンディなワイヤ挿通パイプ中に逆方向固定の機構を収納構成することは困難であった。
【０００７】
この発明では、テーパー形状の二重パイプの周壁間に複数のストッパーボールを介在して該ボールの離隔作動によりワイヤが逆流通しないように固定するワイヤ挿通パイプにおけるワイヤの一方向流通を固定するワイヤ固定機構を提供する。
【課題を解決するための手段】
【０００８】
本発明は、内壁をテーパー形状とする外円筒体と、外円筒体内部で摺動可能とした内円筒体と、内円筒体の中心部を挿通するワイヤと、内円筒体の周壁に穿孔した複数のボール遊嵌孔と、ボール遊嵌孔に遊嵌自在で、内円筒体のボール遊嵌孔と外円筒体のテーパー部が対応する位置関係になった際に内円筒体の中心部を挿通するワイヤ表面を圧接するストッパ―ボールとよりなるワイヤ挿通パイプにおけるワイヤの一方向流通を固定するワイヤ固定機構を提供せんとする。
【０００９】
また、スプリングにより内円筒体を外円筒体のテーパー形状の内壁方向に移動付勢したことを特徴とする。
【００１０】
また、ボール遊嵌孔の内周面は内側から外側に向かって狭窄状のテーパーとしたことを特徴とする。
【００１１】
また、ストッパ―ボールは表面に摩擦係数の高い表面処理をしたことを特徴とする。
【発明の効果】
【００１２】
請求項１の発明によれば、内壁をテーパー形状とする外円筒体と、外円筒体内部で摺動可能とした内円筒体と、内円筒体の中心部を挿通するワイヤと、内円筒体の周壁に穿孔した複数のボール遊嵌孔と、ボール遊嵌孔に遊嵌自在で、内円筒体のボール遊嵌孔と外円筒体のテーパー部が対応する位置関係になった際に内円筒体の中心部を挿通するワイヤ表面を圧接するストッパーボールとより構成したので、ワイヤを一方向に引張ると内円筒体は外円筒体のテーパー部から離反してストッパーボールがボール遊嵌孔から外円筒体自在に移動自在になりワイヤの表面とストッパーボールとの接触が離反してワイヤは自在に内円筒体を挿通自在となる。
他方、ワイヤを反対方向に引張ると内円筒体は外円筒体のテーパー部方向に移動して互いのテーパー部が一体に密着し、ストッパーボールが外円筒体のテーパー部により強制的に内方に押しやられてワイヤ表面と圧接状態となる。すなわち、ストッパーボールはボール遊嵌孔からワイヤ方向に移動してワイヤの表面とストッパーボールとは圧接状態となりワイヤは固定されワイヤは反対方向に移動不能状態となる。かかる状態では外円筒体と内円筒体とワイヤとは三者それぞれ一体の固定状態となる効果がある。
このようにワイヤの引張り方向を一定の方向に流通可能としながら他方向には固定されて固定停止状態に構成できるので、例えば、害獣のトラップ構造において脚体を捕縛するループ部ワイヤの引張弛緩操作に簡便な構造で確実な操作が可能となる効果がある。
【００１３】
請求項２の発明によれば、スプリングにより内円筒体を外円筒体のテーパー形状の内壁方向に移動付勢したことにより、ワイヤの引張り方向を一定の方向に流通可能としながら他方向には固定されてより迅速にかつ確実に固定停止状態とすることができる効果がある。
【００１４】
請求項３の発明によれば、ボール遊嵌孔の内周面は内側から外側に向かって狭窄状のテーパーとしたことによりストッパーボールの移動が容易に行えるためワイヤの押圧作動が迅速にかつ確実に行える効果がある。
【００１５】
請求項４の発明によれば、ストッパーボールは表面に摩擦係数の高い表面処理をしたことにより、ワイヤとストッパーボールとの押圧接触が確実に行えると共にワイヤの停止機能を確実に行える効果がある。
【図面の簡単な説明】
【００１６】
【図１】本発明の実施形態におけるワイヤ固定機構を示す分解斜視図である。
【図２】本発明の実施形態におけるワイヤ固定機構を示す図であり、（ａ）は天面図、（ｂ）は底面図、（ｃ）は側面図を示している。
【図３】本発明の実施形態におけるワイヤ固定機構の逆止構造を示す断面図であり、（ａ）はワイヤ移動を解放した状態を示す図であり、（ｂ）はワイヤ移動を規制した状態を示す図である。
【図４】本発明の実施形態におけるワイヤ固定機構におけるストッパーボールの動きを示す図であり、（ａ）はワイヤの移動を規制する方向に移動する際のストッパーボールの動きを示し、（ｂ）はワイヤの移動を規制する方向に移動する際のストッパーボールの動きを示す図である。
【発明を実施するための形態】
【００１７】
本発明は、内壁をテーパー形状とする外円筒体と、外円筒体内部で摺動可能とした内円筒体と、内円筒体の中心部を挿通するワイヤと、内円筒体の周壁に穿孔した複数のボール遊嵌孔と、ボール遊嵌孔に遊嵌自在で、内円筒体のボール遊嵌孔と外円筒体のテーパー部が対応する位置関係になった際に内円筒体の中心部を挿通するワイヤ表面を圧接するストッパーボールとより構成したワイヤ挿通パイプにおけるワイヤの一方向流通を固定するワイヤ固定機構を要旨とする。
【００１８】
また、スプリングにより内円筒体を外円筒体のテーパー形状の内壁方向に移動付勢したことを特徴とする。
【００１９】
また、ボール遊嵌孔の内周面は内側から外側に向かって狭窄状のテーパーとしたことを特徴とする。
【００２０】
本発明の実施例を図面に基づき詳説する。
基本的に本発明は、図１に示すように、内円筒体１０と外円筒体２０との組み合わせよりなり外円筒体２０のテーパー部２１においてストッパーボール１２を介在した構造とする。
【００２１】
外円筒体２０は内壁をテーパー形状とすると共に、内円筒体１０は外円筒体２０内部で摺動可能に構成している。
内円筒体１０の中心部にはワイヤＷを挿通しており、内円筒体１０の周壁には複数のボール遊嵌孔１１を穿孔している。ボール遊嵌孔１１の内周面は内側から外側に向かって狭窄状のテーパーに構成している。
【００２２】
ボール遊嵌孔１１にはワイヤＷ表面を圧着固定するストッパーボール１２を遊嵌している。ストッパーボール１２は表面に摩擦係数の高い表面処理をしている。
また、内円筒体１０の天端には外円筒体２０の天端との間にスプリング３０を介設することで内円筒体１０を外円筒体２０の内壁であるテーパー部２１に移動付勢している。
【００２３】
この発明の作用について具体的に詳説する。
ワイヤ固定機構Ａは、図２に示すように、ワイヤＷを内円筒体１０の中空部１３に挿通して外円筒体２０に内円筒体１０を収納する。
この際に内円筒体１０は、図３（ａ）、（ｂ）に示すように、スプリング３０の付勢により外円筒体の先端部に位置している。すなわち、外円筒体２０の内周壁のテーパー部２１と内円筒体１０の外周壁１４とが密着した嵌着状態となる。
【００２４】
この状態でワイヤＷを先端方向に引張ると内円筒体１０は、図４（ａ）、（ｂ）に示すように、ワイヤＷと共に外円筒体２０の先端部方向に移動する。すなわち、内円筒体１０のボール遊嵌孔１１と外円筒体２０のテーパー部２１が対応する位置関係になったときに内円筒体１０の中心部を挿通するワイヤＷ表面に当接するストッパーボール１２は、外円筒体２０のテーパー部２１によって内方のワイヤＷ表面に圧接状態となる。その圧接付勢力によってワイヤＷは、ストッパーボール１２表面に食い込み固定状態となる。
【００２５】
他方、ワイヤＷが上記と反対方向に引っ張られると内円筒体１０はワイヤＷに付随して外円筒体２０の基端部方向に移動してストッパーボール１２がワイヤＷ表面から離反してワイヤＷの固定状態を解除しワイヤＷは自在に一定方向に摺動可能となる。
【００２６】
このようにワイヤＷの引っ張る方向に応じてストッパーボール１２とワイヤＷとの圧接形態が変わりストッパーボール１２の移動位置、すなわち、ワイヤＷの引っ張り方向によりワイヤＷの固定状態からワイヤＷの自由な流通形態に変更可能となる。
【００２７】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００２８】
１０  内円筒体
１１  ボール遊嵌孔
１２  ストッパーボール
１３  中空部
１４  外周壁
２０  外円筒体
２１  テーパー部
３０  スプリング
Ａ  ワイヤ固定機構
Ｗ  ワイヤ
【図１】
2020125803.tif 000003
【図２】
2020125803.tif 000004
【図３】
2020125803.tif 000005
【図４】
2020125803.tif 000006